(57)【要約】【課題】高周波相互作用部に出力導波管を気密にロウ接でき、出力導波管の真空側へのロウ材の流入を防止できるクライストロンを提供する。【解決手段】クライストロンは、電子銃部と、コレクタと、入力空胴、中間空胴、穴部が形成された出力空胴及びドリフト管を有した高周波相互作用部と、集束コイルと、出力導波管と、を備えている。高周波相互作用部は、凹部６０を有している。出力導波管は、凹部６０に嵌合される凸部７０を有し、高周波相互作用部との間に溝部８０を形成している。出力導波管は、溝部８０に設けられたロウ材９０により高周波相互作用部に接合されている。【選択図】図５
2011243420.tif 000002
【特許請求の範囲】
【請求項１】
電子ビームを放出する電子銃部と、
電子ビームを捕捉するコレクタと、
前記電子銃部及びコレクタ間に接続され、前記電子銃部及びコレクタ間に位置した入力空胴、前記入力空胴及びコレクタ間に位置した少なくとも１つの中間空胴、前記中間空胴及びコレクタ間に位置し、前記コレクタと対向した側に穴部が形成された出力空胴、並びに前記入力空胴、中間空胴及び出力空胴を連結したドリフト管を有し、前記入力空胴に入力信号を入力することにより、前記出力空胴から増幅された高周波信号を出力する高周波相互作用部と、
前記出力空胴を含む前記高周波相互作用部の外周を囲み、前記電子銃部から放出される電子ビームを集束する集束コイルと、
前記コレクタと対向した側で前記高周波相互作用部に接合され、前記穴部に連通され、前記穴部を通して前記出力空胴から高周波信号を取り出す出力導波管と、を備え、
前記高周波相互作用部は、外面に形成された凹部をさらに有し、
前記出力導波管は、前記凹部に嵌合される凸部を有し、前記高周波相互作用部との間に溝部を形成し、
前記出力導波管は、前記溝部に設けられたロウ材により前記高周波相互作用部に接合されていることを特徴とするクライストロン。
【請求項２】
前記高周波相互作用部は、前記コレクタに接続され、前記穴部が外周面側に位置した筒状のトップドリフト部を含み、
前記凹部は、前記トップドリフト部の外周面に形成されていることを特徴とする請求項１に記載のクライストロン。
【請求項３】
前記高周波相互作用部は、前記コレクタに接続され、前記穴部が外周面側に位置した筒状のトップドリフト部と、前記トップドリフト部及び出力空胴間に設けられ、前記トップドリフト部及び出力空胴を結合し、前記穴部を有したフランジと、前記トップドリフト部に対向し、前記穴部が内周面側に位置し、前記フランジに接続された筒部と、を含み、
前記出力導波管は、円弧状に凹んで前記トップドリフト部に接合された端縁を持つ天井壁と、円弧状に凹んで前記筒部に接合された端縁を持つ底壁と、前記天井壁及び底壁の側縁にそれぞれ接合された２つの側壁と、前記トップドリフト部の外周面、筒部の内周面及びフランジの表面、並びにそれぞれ前記端縁が位置した側の天井壁の端部、底壁の端部及び側壁の端部に接合された端壁と、を含み、
前記凹部は、前記トップドリフト部の外周面、筒部の内周面及びフランジの表面に連続して形成され、
前記端壁は、前記トップドリフト部、筒部、フランジ、天井壁、底壁及び側壁との間に溝部を形成し、
前記端壁、並びに前記トップドリフト部、筒部、フランジ、天井壁、底壁及び側壁は、前記溝部に設けられたロウ材により接合されていることを特徴とする請求項１に記載のクライストロン。
【請求項４】
前記天井壁は、前記トップドリフト部との間に溝部を形成し、
前記底壁は、前記筒部との間に溝部を形成し、
前記天井壁及びトップドリフト部、並びに底壁及び筒部は、それぞれ前記溝部に設けられたロウ材により接合されていることを特徴とする請求項３に記載のクライストロン。
【請求項５】
前記溝部及びロウ材は、大気側に位置していることを特徴とする請求項１乃至４の何れか１項に記載のクライストロン。
【発明の詳細な説明】
【技術分野】
【０００１】
この発明は、クライストロンに関する。
【背景技術】
【０００２】
一般に、電波を増幅する真空管としてクライストロンが知られている。クライストロンは、電子ビームを放出する電子銃部と、用済みの電子ビームを捕捉するコレクタと、高周波相互作用部と、電子銃部から放出される電子ビームを集束する集束コイルと、を備えている。
【０００３】
高周波相互作用部は、電子銃部から放出された電子ビームが通過するドリフト管と、ドリフト管の途中に電子ビームの進行方向に沿って設けられた入力空胴、中間空胴及び出力空胴と、を有し、入力空胴に入力信号を入力することにより、出力空胴から増幅された高周波信号を出力するものである。出力空胴から高周波を取り出すため、出力空胴の側面には出力導波管が接合されている（例えば、特許文献１参照）。出力導波管には、出力窓が取付けられている。
【０００４】
出力導波管は、外部の高周波回路に接続される。高周波の周波数が比較的低い（Ｌバンド以下の周波数である）と、出力導波管の幅が広くなるので、出力空胴の側面側から高周波を取り出す方法だと集束コイルに大きな溝が必要であり、集束磁界の対称性が悪くなる問題がある。そこで、電子ビームの進行方向側の出力空胴に穴部を設け、電子ビームの進行方向に沿った方向に出力空胴から高周波を取り出す手法が用いられている。
【先行技術文献】
【特許文献】
【０００５】
【特許文献１】特開平８−１７１８６４号公報
【発明の概要】
【発明が解決しようとする課題】
【０００６】
上記出力空胴の穴部の先は高周波取り出し用の扁平な出力導波管に繋がっている。出力導波管の一方には高周波取り出し用の出力窓が設けられ、他方は出力導波管の端部となり板状の端壁で塞がれている。出力導波管の端部は、出力空胴の穴部を囲むように設けられた筒状のトップドリフト部及び筒部に接合されている。なお、端壁も、トップドリフト部及び筒部に接合されている。
【０００７】
端壁は、トップドリフト部及び筒部に接触した状態でロウ接される。端壁は、トップドリフト部及び筒部の形状や、トップドリフト部及び筒部の相対的な位置などに合わせて形作られる。しかしながら、トップドリフト部及び筒部との接触部は線状となるため、部品寸法精度のわずかな狂いでも、端壁、並びにトップドリフト部及び筒部間の接触個所に比較的大きな隙間が生じる恐れがある。この隙間が大きいと、ロウ接の際、ロウ材で隙間を気密に塞ぐことが難しく、真空容器の形成の妨げになる。
【０００８】
また、上記隙間から出力導波管の真空側にロウ材が流入してしまう恐れがある。出力導波管の真空側にロウ材が流入すると、出力導波管内部の表面抵抗が増加し、高周波損失が増加してしまう。
【０００９】
このため、電子ビームの進行方向に沿った方向に出力空胴から高周波を取り出す手法を採った場合、高周波取出し部周辺の構造が複雑になり、出力導波管の真空側へのロウ材の流入を防止しつつ気密状態に組立てることが困難である。  
この発明は以上の点に鑑みなされたもので、その目的は、高周波相互作用部に出力導波管を気密にロウ接でき、出力導波管の真空側へのロウ材の流入を防止できるクライストロンを提供することにある。
【課題を解決するための手段】
【００１０】
上記課題を解決するため、本発明の態様に係るクライストロンは、
電子ビームを放出する電子銃部と、
電子ビームを捕捉するコレクタと、
前記電子銃部及びコレクタ間に接続され、前記電子銃部及びコレクタ間に位置した入力空胴、前記入力空胴及びコレクタ間に位置した少なくとも１つの中間空胴、前記中間空胴及びコレクタ間に位置し、前記コレクタと対向した側に穴部が形成された出力空胴、並びに前記入力空胴、中間空胴及び出力空胴を連結したドリフト管を有し、前記入力空胴に入力信号を入力することにより、前記出力空胴から増幅された高周波信号を出力する高周波相互作用部と、
前記出力空胴を含む前記高周波相互作用部の外周を囲み、前記電子銃部から放出される電子ビームを集束する集束コイルと、
前記コレクタと対向した側で前記高周波相互作用部に接合され、前記穴部に連通され、前記穴部を通して前記出力空胴から高周波信号を取り出す出力導波管と、を備え、
前記高周波相互作用部は、外面に形成された凹部をさらに有し、
前記出力導波管は、前記凹部に嵌合される凸部を有し、前記高周波相互作用部との間に溝部を形成し、
前記出力導波管は、前記溝部に設けられたロウ材により前記高周波相互作用部に接合されていることを特徴としている。
【発明の効果】
【００１１】
この発明によれば、高周波相互作用部に出力導波管を気密にロウ接でき、出力導波管の真空側へのロウ材の流入を防止できるクライストロンを提供することができる。
【図面の簡単な説明】
【００１２】
【図１】図１は、本発明の実施の形態に係るクライストロンを示す概略断面図である。
【図２】図２は、図１に示したクライストロンの一部を拡大して示す概略断面図である。
【図３】図３は、図２に示したトップドリフト部、筒部、天井壁及び底壁を拡大して示す断面図である。
【図４】図４は、図２に示した出力導波管、トップドリフト部及びフランジを示す平面図である。
【図５】図５は、図４に示したＲ領域の拡大平面図である。
【図６】図６は、図４の線ＶＩ−ＶＩに沿って示す断面図である。
【発明を実施するための形態】
【００１３】
以下、図面を参照しながらこの発明の実施の形態に係るクライストロンについて詳細に説明する。  
図１に示すように、クライストロンは、電子銃部１と、コレクタ２と、高周波相互作用部３と、集束コイル４と、出力導波管５と、を備えている。この実施の形態において、クライストロンはパルスクライストロンである。コレクタ２、高周波相互作用部３及び出力導波管５は、それぞれ金属で形成されている。
【００１４】
電子銃部１は、電子ビームを放出する電子銃１ａと、電子銃１ａから放出された電子ビームを加速させ、電子の流れをコレクタ２方向に作るカソード１ｂ及びアノード１ｃとを有している。ここでは、カソード１ｂに負の高電圧が印加され、アノード１ｃは接地されている。
【００１５】
コレクタ２は、高周波相互作用部３を通過した用済みの電子ビームを捕捉し、残ったエネルギを熱に変換するものである。なお、コレクタ２は、図示しない冷却機構により冷却されている。
【００１６】
高周波相互作用部３は、電子銃部１及びコレクタ２間に気密に接続されている。高周波相互作用部３は、電子銃部１及びコレクタ２間に位置した入力空胴３ａと、入力空胴３ａ及びコレクタ２間に位置した少なくとも１つの中間空胴３ｂと、中間空胴３ｂ及びコレクタ２間に位置し、コレクタ２と対向した側に穴部２０ｈが形成された出力空胴３ｃと、入力空胴３ａ、中間空胴３ｂ及び出力空胴３ｃを気密に連結したドリフト管３ｄと、を有している。この実施の形態において、高周波相互作用部３は、中間空胴３ｂを３つ有している。また、入力空胴３ａ、中間空胴３ｂ及び出力空胴３ｃは、ドリフト管３ｄに形成された空胴により形作られている。
【００１７】
上記各空胴は、筒状の内周壁と、筒状の外周壁と、内周壁及び外周壁間の下端を気密に閉塞する環状の下端壁と、内周壁及び外周壁間の上端を気密に閉塞する環状の上端壁と、中心部に軸方向に開口する開口部と、を有し、同軸状に形成されている。高周波相互作用部３の真空側の表面は導電性に優れ、上記表面には例えば銅メッキが施されている。
【００１８】
ここで、上記高周波相互作用部３の動作原理について詳述する。入力空胴３ａには増幅したい電波（マイクロ波）が導入される。入力空胴３ａを電子ビームが通過するとき、電子ビームは導入された入力信号により速度変調される。その後、電子ビームが一様電界中を通過する間、電子ビームに密度変調が生じ、電子ビームは次第に集群（バンチ）される。さらに、集群された電子ビームは、中間空胴３ｂを通過する度に相互作用により空胴に高周波電界を発生する。これにより、電子ビームはその電界により再度速度変調を受ける。
【００１９】
そして最後に集群された電子ビームは、出力空胴３ｃの間隙を通過する時、大きな交流電界を誘起し、増幅された高周波（大電力マイクロ波）として出力空胴３ｃから外部に取り出される。  
すなわち、高周波相互作用部３は、入力空胴３ａに入力信号を入力することにより、出力空胴３ｃから増幅された高周波信号を出力するものである。
【００２０】
集束コイル４は、筒状に形成され、出力空胴３ｃを含む高周波相互作用部３の外周を囲んでいる。集束コイル４は、電子銃部１から放出される電子ビームを集束するものである。なお、集束コイル４が出力空胴３ｃの間隙を通過する電子ビームを対称性よく集束できることは言うまでもない。
【００２１】
出力導波管５は、コレクタ２と対向した側で高周波相互作用部３に接合され、穴部２０ｈに連通されている。出力導波管５には、誘電体で形成された出力窓５ａが気密に取り付けられている。出力導波管５は、穴部２０ｈを通して出力空胴３ｃから高周波信号を取り出すものである。
【００２２】
次に、上記高周波相互作用部３についてさらに説明する。  
図１、図２、図４及び図６に示すように、高周波相互作用部３は、トップドリフト部１０と、フランジ２０と、筒部３０と、筒部４０とをさらに含んでいる。
【００２３】
トップドリフト部１０は、コレクタに気密に接続されている。トップドリフト部１０は、筒状に形成されている。詳しくは、トップドリフト部１０は、電子ビームの進行方向に沿った方向に次第に広くなるよう円錐形をした筒状に形成されている。トップドリフト部１０の外周面側には穴部２０ｈが位置している。トップドリフト部１０の内周面及び外周面は導電性に優れ、トップドリフト部１０の内周面及び外周面には例えば銅メッキが施されている。
【００２４】
フランジ２０は、鍔型の継手であり、円環状に形成されている。フランジ２０は、トップドリフト部１０及び出力空胴３ｃ間に設けられ、トップドリフト部１０及び出力空胴３ｃを気密に結合している。この実施の形態において、フランジ２０は、出力空胴３ｃの上端壁を形成している。フランジ２０は、上記穴部２０ｈの他、複数の貫通孔ｈａ及び複数の貫通孔ｈｂを有している。
【００２５】
ドリフト管３ｄ及びフランジ２０は、真空気密に接続されている。ここでは、ドリフト管３ｄ及びフランジ２０は、ロウ接されている。各貫通孔ｈａは、ポールピース部品１００に形成されたネジ孔１００ｈに重ねられている。フランジ２０及びポールピース部品１００は、貫通孔ｈａ及びネジ孔１００ｈ、並びに締め具を用いて締め付けられている。締め具としては、ボルト７１を使用することができる。ポールピース部品１００は、集束磁場がコレクタ２に漏れてくるのを防ぐものである。なお、貫通孔ｈｂは、周辺部品との組合せに使用される。  
筒部３０は、電子ビームの進行方向に沿った方向に次第に広くなるよう円錐形をした筒状に形成されている。筒部３０は、トップドリフト部１０に対向し、フランジ２０に気密に接続されている。筒部３０内周面側には穴部２０ｈが位置している。筒部３０の内周面は導電性に優れ、筒部３０の内周面には例えば銅メッキが施されている。
【００２６】
筒部４０はトップドリフト部１０及びフランジ２０に気密に接続されている。筒部４０は、出力空胴３ｃの内周壁の一部を形成している。筒部４０の内周面及び外周面は導電性に優れ、筒部４０の内周面及び外周面には例えば銅メッキが施されている。
【００２７】
次に、上記出力導波管５についてさらに説明する。  
図１、図２、図４及び図６に示すように、出力導波管５は、それぞれ板状に形成された天井壁５１と、底壁５２と、２つの側壁５３と、端壁５４と、を含んでいる。
【００２８】
天井壁５１は、円弧状に凹んでトップドリフト部１０の外周面に接合された端縁を持っている。底壁５２は、円弧状に凹んで筒部３０に接合された端縁を持っている。側壁５３は、天井壁５１及び底壁５２の側縁にそれぞれ気密に接合されている。端壁５４は、トップドリフト部１０の外周面、筒部３０の内周面及びフランジの表面、並びに天井壁５１の端部、底壁５２の端部及び側壁５３の端部に気密に接合されている。端壁５４は、トップドリフト部１０及び筒部３０等の形状や、トップドリフト部１０及び筒部３０の相対的な位置等に合わせて形作られている。  
出力導波管５の真空側の表面は導電性に優れ、出力導波管５の真空側の表面には例えば銅メッキが施されている。
【００２９】
次に、高周波相互作用部３に出力導波管５を接合する手法について説明する。  
図４乃至図６に示すように、高周波相互作用部３は、外面に形成された凹部６０をさらに有している。出力導波管５は、凹部６０に嵌合される凸部７０をさらに有し、高周波相互作用部３との間に溝部８０を形成している。出力導波管５は、溝部８０に設けられたロウ材９０により高周波相互作用部３に接合されている。
【００３０】
より詳しくは、凹部６０は、トップドリフト部１０の外周面、筒部３０の内周面及びフランジ２０の表面に連続して形成されている。この実施の形態において、凹部６０の断面形状は矩形状である。
【００３１】
端壁５４の外縁部は全周に亘って段状に形成され、端壁５４の外縁部には凸部７０が形成されている。この実施の形態において、凸部７０の断面形状は矩形状である。端壁５４の凸部７０は、トップドリフト部１０、筒部３０及びフランジ２０に形成された凹部６０に嵌合されている。
【００３２】
端壁５４は、トップドリフト部１０、筒部３０及びフランジ２０との間に矩形状の溝部８０を形成している。さらに、端壁５４は、端壁５４は、天井壁５１、底壁５２及び側壁５３との間にも矩形状の溝部８０を形成している。
【００３３】
端壁５４、並びにトップドリフト部１０、筒部３０、フランジ２０、天井壁５１、底壁５２及び側壁５３は、溝部８０に設けられたロウ材９０により接合（ロウ接）されている。
【００３４】
図３に示すように、天井壁５１は、トップドリフト部１０との間にＶ字型の溝部８０を形成している。底壁５２は、筒部３０との間に矩形状の溝部８０を形成している。天井壁５１及びトップドリフト部１０、並びに底壁５２及び筒部３０は、それぞれ溝部８０に設けられたロウ材９０により接合（ロウ接）されている。  
上記の溝部８０及びロウ材９０は、大気側に位置している。
【００３５】
高周波相互作用部３に出力導波管５を接合する際、まず、トップドリフト部１０、筒部３０及びフランジ２０に形成された凹部６０に端壁５４の凸部７０を嵌合させた後、互いに接合され扁平な枠状に形成された天井壁５１、底壁５２及び側壁５３を、端壁５４、トップドリフト部１０及び筒部３０に接触させ、端壁５４等との相対的な位置を固定する。なお、上記固定する際、ネジ止めにて固定することも可能である。
【００３６】
続いて、上記複数の部材を接触させた際に形成される溝部８０にロウ材９０を設置し、次いで、これらを加熱する。これにより、高周波相互作用部３に出力導波管５が気密に接合される。
【００３７】
上記のように、クライストロンが形成されている。コレクタ２、高周波相互作用部３及び出力導波管５等は、気密な真空容器を形成している。図示しないが、電子銃部１は上記真空容器内に収容されている。
【００３８】
以上のように構成されたクライストロンによれば、クライストロンは、電子銃部１と、コレクタ２と、入力空胴３ａ、中間空胴３ｂ、穴部２０ｈが形成された出力空胴３ｃ及びドリフト管３ｄを有し、入力空胴３ａに入力信号を入力することにより、出力空胴３ｃから増幅された高周波信号を出力する高周波相互作用部３と、集束コイル４と、高周波相互作用部３に接合され、穴部２０ｈに連通され、穴部２０ｈを通して出力空胴３ｃから高周波信号を取り出す出力導波管５と、を備えている。
【００３９】
高周波相互作用部３は、外面に形成された凹部６０をさらに有している。出力導波管５は、凹部６０に嵌合される凸部７０を有し、高周波相互作用部３との間に溝部８０を形成している。出力導波管５は、溝部８０に設けられたロウ材９０により高周波相互作用部３に接合されている。
【００４０】
出力導波管５の凸部７０は高周波相互作用部３の凹部６０に嵌合されるため、出力導波管５を高周波相互作用部３に隙間無しに接触させることができる。これにより、ロウ接の際、出力導波管５及び高周波相互作用部３間の隙間をロウ材９０で容易に気密に塞ぐことができる。また、上記したことから、出力導波管５の真空側へのロウ材９０の流入を防止することができるため、出力導波管５内部の表面抵抗の増加を防止することができ、ひいては高周波損失の増加を防止することができる。
【００４１】
高周波相互作用部３への出力導波管５の気密にロウ接は、溝部８０にロウ材９０を設置した状態で実施できるため、１回のロウ接工程（加熱工程）により簡便に実現することができる。ロウ材９０は１種類あれば良いため、複数回ロウ接する場合に必要な融点のことなるロウ材の選択に苦心したりすること無しにロウ接することができる。  
また、外観を損ねること無しに出力導波管５を高周波相互作用部３に気密にロウ接することができる。
【００４２】
凸部７０が凹部６０に嵌合されるため、出力導波管５及び高周波相互作用部３の相対的な位置合わせを精度良く行うことができ、高周波相互作用部３に対する出力導波管５の位置ずれを抑制することができる。  
上記のことから、高周波相互作用部３に出力導波管５を気密にロウ接でき、出力導波管５の真空側へのロウ材９０の流入を防止できるクライストロンを得ることができる。
【００４３】
なお、この発明は上記実施の形態そのままに限定されるものではなく、実施段階ではその要旨を逸脱しない範囲で構成要素を変形して具体化可能である。また、上記実施の形態に開示されている複数の構成要素の適宜な組み合わせにより、種々の発明を形成できる。例えば、実施形態に示される全構成要素から幾つかの構成要素を削除してもよい。
【００４４】
凹部６０（凸部７０）の断面形状は矩形状に限らず、種々変形可能であり、例えばＶ字型（三角形）であってもよい。  
この発明は、上記クライストロンに限らず、各種クライストロンに適用可能である。
【符号の説明】
【００４５】
１…電子銃部、２…コレクタ、３…高周波相互作用部、３ａ…入力空胴、３ｂ…中間空胴、３ｃ…出力空胴、３ｄ…ドリフト管、４…集束コイル、５…出力導波管、１０…トップドリフト部、２０ｈ…穴部、２０…フランジ、３０…筒部、５１…天井壁、５２…底壁、５３…側壁、５４…端壁、６０…凹部、７０…凸部、８０…溝部、９０…ロウ材。
【図１】
2011243420.tif 000003
【図２】
2011243420.tif 000004
【図３】
2011243420.tif 000005
【図４】
2011243420.tif 000006
【図５】
2011243420.tif 000007
【図６】
2011243420.tif 000008